(57)【要約】【課題】コンクリート壁を効率的に構築するコンクリート壁構築部材と、型枠材等の被支持体を支持体に効率的に支持させることができる支持構造体と、それらを用いたコンクリート壁の構築方法を提供する。【解決手段】コンクリート壁構築部材は、棒状セパレータとパネル材４１と柱状の支持部材３１と締結部材６１とを有している。パネル材４１は、棒状セパレータの一端部と他端部とにそれぞれ配置される。柱状の支持部材３１は、パネル材４１を支持する。締結部材６１は、パネル材４１を棒状セパレータの一端部と他端部とにそれぞれ固定する。支持部材３１は、締結部材６１が挿通される複数の開口部が形成された側部を備えている。互いに隣り合う、棒状セパレータの間を繋いで保持する保持部材を備えている。【選択図】図２４
2015158041.tif 000002
【特許請求の範囲】
【請求項１】
一端部と他端部と有する棒状セパレータと、
前記棒状セパレータの前記一端部と前記他端部とにそれぞれ配置されるパネル材と、
前記パネル材を支持する、柱状の支持部材と、
前記パネル材を前記棒状セパレータの前記一端部と前記他端部とにそれぞれ固定する締結部材と
を有し、
前記支持部材は、前記締結部材が挿通される複数の開口部が形成された側部を備え、
互いに隣り合う、前記棒状セパレータとしての一の棒状セパレータおよび他の棒状セパレータの間を繋いで保持する保持部材を備えた、コンクリート壁の構築部材。
【請求項２】
前記保持部材は、
一方向に延在する延在部と、
前記延在部の一端側に設けられ、前記一の棒状セパレータを係止する第１係止部と、
前記延在部の他端側に設けられ、前記他の棒状セパレータを係止する第２係止部と
を有する、請求項１記載のコンクリート壁の構築部材。
【請求項３】
前記パネル材は断熱部材を含む、請求項１または２に記載のコンクリート壁の構築部材。
【請求項４】
パネル材、支持部材、棒状セパレータ、締結部材および保持部材を用い、前記棒状セパレータの一端部と他端部とに前記パネル材および前記支持部材を前記締結部材によって固定することで、コンクリート壁を構築するコンクリート壁の構築方法であって、
前記支持部材として、前記締結部材が挿通される複数の第１開口部が形成された側部を備えた柱状の支持部材を用い、
前記保持部材として、互いに隣り合う前記棒状セパレータの間を繋いで保持する保持部材を用い、
前記パネル材として、前記棒状セパレータが挿通される第２開口部が形成されたパネル材を用い、
前記棒状セパレータの前記一端部と前記他端部とに前記パネル材および前記支持部材をそれぞれ配置し、前記締結部材によって、前記パネル材と前記支持部材とを前記一端部と前記他端部とに固定する工程と、
前記一端部に固定された前記パネル材と前記他端部に固定された前記パネル材との間にコンクリートを打ち込む工程と、
前記締結部材および前記支持部材を取り外す工程と
を有し、
前記パネル材および前記支持部材を、前記棒状セパレータの前記一端部に固定する工程は、
前記支持部材としての一の支持部材および他の支持部材を、互いに間隔を隔てて配置する工程と、
前記パネル材としての一のパネル材を、前記一の支持部材の前記側部に対向するように配置し、前記一のパネル材の前記第２開口部に、前記棒状セパレータとしての一の棒状セパレータの前記一端部を装着する工程と、
前記一の支持部材の前記側部の前記第１開口部に、前記締結部材としての一の締結部材を挿通し、前記一の締結部材と前記一の棒状セパレータの前記一端部とで前記一のパネル材と前記一の支持部材とを挟み込む態様で、前記一の棒状セパレータの前記一端部に前記一のパネル材および前記一の支持部材を固定する工程と、
前記パネル材としての他のパネル材を、前記一のパネル材に隣接させるとともに前記他の支持部材の前記側部に対向するように配置し、前記他のパネル材の前記第２開口部に、前記棒状セパレータとしての他の棒状セパレータの前記一端部を装着する工程と、
前記他の支持部材の前記第１開口部に、前記締結部材としての他の締結部材を挿通し、前記他の締結部材と前記他の棒状セパレータの前記一端部とで前記他のパネル材と前記他の支持部材とを挟み込む態様で、前記他の棒状セパレータの前記一端部に前記他のパネル材および前記他の支持部材を固定する工程と、
前記一の棒状セパレータと前記他の棒状セパレータとを繋ぐように前記保持部材を取り付ける工程と、
前記一の支持部材および前記他の支持部材に交差するように、前記支持部材としてのさらに他の支持部材を配置して固定する工程と
を備えた、コンクリート壁の構築方法。
【請求項５】
前記保持部材として、
一方向に延在する延在部と、
前記延在部の一端側に設けられ、前記一の棒状セパレータを係止する第１係止部と、
前記延在部の他端側に設けられ、前記他の棒状セパレータを係止する第２係止部と
を有する保持部材を用いる、請求項４記載のコンクリート壁の構築方法。
【請求項６】
前記パネル材として、断熱部材を含むパネル材を用いる、請求項４または５に記載のコンクリート壁の構築方法。
【請求項７】
幅と奥行きを有して一方向に延在し、雌ねじが形成された柱状の支持体と、
前記雌ねじに螺合する雄ねじを有する雄ねじ部材と、
前記雄ねじ部材が挿通され、前記雄ねじ部材の前記雄ねじを前記雌ねじに螺合することにより、前記支持体と前記雄ねじ部材との間に挟み込まれる態様で前記支持体に支持される被支持体と
を有し、
前記支持体は、
前記被支持体が当接することになる第１側部と、
前記第１側部と前記奥行き方向に距離を隔てて対向するフラットな面の第２側部と、
前記第１側部に形成され、互いに対向する側壁面を有し、前記互いに対向する側壁面が、前記雄ねじ部材の前記雄ねじに基づく所定の間隔をもって前記一方向に延在する溝と、
前記溝を挟んで前記幅方向に距離を隔てて配置された一対の中空部と、
前記溝の底から前記第２側部の前記フラットな面にわたり形成された、中空部分のない中実部と
を備え、
前記互いに対向する側壁面には、前記雌ねじとして、前記雄ねじ部材の前記雄ねじのピッチに基づく凹凸部が前記一方向に延在するリニア雌ねじが形成された、支持構造体。
【請求項８】
前記一方向に延在する前記支持体の少なくとも一端側は、前記溝の断面が露出するように開放されている、請求項７記載の支持構造体。
【請求項９】
前記支持体は、前記幅方向に距離を隔てて対向する第３側部および第４側部を有し、
前記第３側部および前記第４側部における、互いに対向する部分のそれぞれには、前記一方向に延在するスリットが形成された、請求項７または８に記載の支持構造体。
【請求項１０】
前記支持体として、一の支持体と他の支持体とを少なくとも含み、
一端部と他端部とを有し、前記一端部を、前記一の支持体の前記中空部に挿入するとともに、前記他端部を、前記他の支持体の前記中空部に挿入することによって、前記一の支持体と前記他の支持体とを連結する連結部材を備えた、請求項７〜９のいずれかに記載の支持構造体。
【請求項１１】
一対のパネル材と、
前記一対のパネル材を間隔を隔てて配置する棒状セパレータと
を有し、
前記一対のパネル材の一方のパネル材が前記被支持体とされ、
前記雄ねじ部材として、前記棒状セパレータの一端側に前記雄ねじが形成され、
前記棒状セパレータの他端側に、前記一対のパネル材の他方のパネル材が取り付けられた、請求項７〜１０のいずれかに記載の支持構造体。
【請求項１２】
前記パネル材は断熱部材を含む、請求項１１記載の支持構造体。
【請求項１３】
幅と奥行きを有して一方向に延在し、雌ねじが形成された柱状の支持体を用い、雄ねじ部材の雄ねじを前記雌ねじに螺合することによって、複数のパネル材を前記支持体に支持させてコンクリート壁を構築するコンクリート壁の構築方法であって、
前記支持体として、
前記被支持体が当接することになる第１側部と、
前記第１側部と前記奥行き方向に距離を隔てて対向するフラットな面の第２側部と、
前記第１側部に形成され、互いに対向する側壁面を有し、前記互いに対向する側壁面が、前記雄ねじ部材の前記雄ねじに基づく所定の間隔をもって前記一方向に延在する溝と、
前記溝を挟んで前記幅方向に距離を隔てて配置された一対の中空部と、
前記溝の底から前記第２側部の前記フラットな面にわたり形成された、中空部分のない中実部と
を備え、
前記互いに対向する側壁面には、前記雌ねじとして前記雄ねじのピッチに基づく凹凸部が前記一方向に延在するリニア雌ねじが形成された、支持体を用い、
前記雄ねじ部材として、両端にそれぞれ雄ねじが形成された棒状セパレータを用い、
前記複数のパネル材として、前記棒状セパレータが挿通される開口部がそれぞれ形成された複数のパネル材を用い、
複数の前記支持体を、作業する側に前記リニア雌ねじを向けた状態で、互いに前記幅方向に所定の間隔をもって配置する工程と、
前記複数のパネル材のうち、一のパネル材を前記支持体の前記第１側部に当接し、前記棒状セパレータの一端側に形成された前記雄ねじを、前記パネル材の前記開口部に挿通し、前記支持体の前記リニア雌ねじに螺合することにより、前記パネル材を前記支持体に支持させる工程と、
前記複数のパネル材のうち、他のパネル材を、前記一のパネル材と間隔を隔てて対向するように前記棒状セパレータの前記他端側に配置し、他の雌ねじが形成された締結部材を用いて、前記締結部材の前記他の雌ねじに前記棒状セパレータの前記他端側に形成された前記雄ねじを螺合することにより、前記他のパネル材を、前記一のパネル材と間隔を隔てて対向するように前記棒状セパレータの前記他端側に固定する工程と、
前記一のパネル材と前記他のパネル材との間にコンクリートを打ち込む工程と
を備えた、コンクリート壁の構築方法。
【請求項１４】
前記複数のパネル材には、断熱部材を備えたパネル材が含まれる、請求項１３記載のコンクリート壁の構築方法。
【発明の詳細な説明】
【技術分野】
【０００１】
本発明は、コンクリート壁の構築部材、支持構造体およびコンクリート壁の構築方法に関し、特に、コンクリート壁を構築するためのコンクリート壁の構築部材と、建築工事や土木工事において用いられる支持構造体と、それらを用いたコンクリート壁の構築方法とに関するものである。
【背景技術】
【０００２】
従来より、一対の型枠材を間隔保持具によって所定の間隔を隔てて対向するように配置し、その一対の型枠材の間にコンクリートを打ち込むことによって、コンクリート壁を構築する手法が知られている。たとえば、特許文献１では、型枠材として、断熱部材を備えた断熱型枠材を用いてコンクリート壁を構築する手法が提案されている。
【０００３】
この手法では、まず、所定の長さの間隔保持具の一端側に取り付けられた円柱状のアタッチメントを、断熱型枠材の断熱部材の開口部に挿通し、断熱型枠材の板状部の開口部に圧力分散板の雌ねじ形成部を挿通する。間隔保持具の一端側の雄ねじを雌ねじ形成部の雌ねじに螺合し、アタッチメントと圧力分散板とによって、断熱型枠材の板状部を挟み込むことによって、間隔保持具の一端側に断熱型枠材が固定される。
【０００４】
同様にして、間隔保持具の他端側にも、断熱型枠材が固定される。こうして、間隔保持具の両端に、それぞれ断熱型枠材が固定された、コンクリート壁を構築するための一対の型枠が形成される。その後、一対の断熱型枠材の間にコンクリートが打ち込まれ、そのコンクリートが固まることによって、断熱型枠材を備えた断熱コンクリート壁が完成する。
【先行技術文献】
【特許文献】
【０００５】
【特許文献１】特開２００４−２３８９９５号公報
【発明の概要】
【発明が解決しようとする課題】
【０００６】
間隔保持具を用いてコンクリート壁を構築する際に、現場では、間隔保持具と型枠材等のパネル材との位置ずれが往々にしてあり、その位置合わせのために作業効率が落ちることがある。また、都市部の過密した地域では、隣地とパネル材と間に、作業者が作業できるスペースを確保できないことが多く、パネル材の組み立て作業に時間を要することがある。このため、コンクリート壁を効率的に構築することが求められている。
【０００７】
本発明は、そのような開発の一環でなされたものであり、一つの目的は、コンクリート壁を効率的に構築するコンクリート壁の構築部材を提供することであり、他の目的は、型枠材等の被支持体を支持体に効率的に支持させることができる支持構造体を提供することであり、さらに他の目的は、それらを用いたコンクリート壁の構築方法を提供することである。
【課題を解決するための手段】
【０００８】
本発明に係るコンクリート壁の構築部材は、棒状セパレータとパネル材と柱状の支持部材と締結部材とを有している。棒状セパレータは一端部と他端部と有する。パネル材は、棒状セパレータの一端部と他端部とにそれぞれ配置される。柱状の支持部材は、パネル材を支持する。締結部材は、パネル材を棒状セパレータの一端部と他端部とにそれぞれ固定する。支持部材は、締結部材が挿通される複数の開口部が形成された側部を備えている。互いに隣り合う、棒状セパレータとしての一の棒状セパレータおよび他の棒状セパレータの間を繋いで保持する保持部材を備えている。
【０００９】
本発明に係るコンクリート壁の構築部材によれば、パネル材を支持する支持部材が、締結部材が挿通される複数の開口部が形成された側部を備えていることで、締結部材によってパネル材を棒状セパレータに固定する際に、位置ずれを吸収することができる。また、コンクリートを打ち込んだ際の圧力によって隣接するパネル材の間に隙間等ができてしまうのを阻止するのに、隣り合う一の棒状セパレータおよび他の棒状セパレータの間に保持部材を繋ぐように装着すればよい。これによりコンクリート壁の構築作業を効率的に行うことができる。
【００１０】
保持部材は、一方向に延在する延在部と第１係止部と第２係止部とを有し、第１係止部は、延在部の一端側に設けられ、一の棒状セパレータを係止し、第２係止部は、延在部の他端側に設けられ、他の棒状セパレータを係止することが好ましい。
【００１１】
これにより、保持部材を一の棒状セパレータおよび他の棒状セパレータの間に容易に取り付けることができる。
【００１２】
パネル材は断熱部材を含むことが好ましい。これにより、コンクリート壁として断熱部材を有するコンクリート壁を構築することができる。
【００１３】
本発明に係るコンクリート壁の構築方法は、パネル材、支持部材、棒状セパレータ、締結部材および保持部材を用い、棒状セパレータの一端部と他端部とにパネル材および支持部材を締結部材によって固定することで、コンクリート壁を構築するコンクリート壁の構築方法であって、以下の部材と工程を備えている。支持部材として、締結部材が挿通される複数の第１開口部が形成された側部を備えた柱状の支持部材を用いる。保持部材として、互いに隣り合う棒状セパレータの間を繋いで保持する保持部材を用いる。パネル材として、棒状セパレータが挿通される第２開口部が形成されたパネル材を用いる。棒状セパレータの一端部と他端部とにパネル材および支持部材をそれぞれ配置し、締結部材によって、パネル材と支持部材とを一端部と他端部とに固定する。一端部に固定されたパネル材と他端部に固定されたパネル材との間にコンクリートを打ち込む。締結部材および支持部材を取り外す。パネル材および支持部材を、棒状セパレータの一端部に固定する工程は、以下の工程を備えている。支持部材としての一の支持部材および他の支持部材を、互いに間隔を隔てて配置する。パネル材としての一のパネル材を、一の支持部材の側部に対向するように配置し、一のパネル材の第２開口部に、棒状セパレータとしての一の棒状セパレータの一端部を装着する。一の支持部材の側部の第１開口部に、締結部材としての一の締結部材を挿通し、一の締結部材と一の棒状セパレータの一端部とで一のパネル材と一の支持部材とを挟み込む態様で、一の棒状セパレータの一端部に一のパネル材および一の支持部材を固定する。パネル材としての他のパネル材を、一のパネル材に隣接させるとともに他の支持部材の側部に対向するように配置し、他のパネル材の第２開口部に、棒状セパレータとしての他の棒状セパレータの一端部を装着する。他の支持部材の第１開口部に、締結部材としての他の締結部材を挿通し、他の締結部材と他の棒状セパレータの一端部とで他のパネル材と他の支持部材とを挟み込む態様で、他の棒状セパレータの一端部に他のパネル材および他の支持部材を固定する。一の棒状セパレータと他の棒状セパレータとを繋ぐように保持部材を取り付ける。一の支持部材および他の支持部材に交差するように、支持部材としてのさらに他の支持部材を配置して固定する。
【００１４】
本発明に係るコンクリート壁の構築方法によれば、パネル材を支持する支持部材が、締結部材が挿通される複数の第１開口部が形成された側部を備えていることで、締結部材によってパネル材を棒状セパレータに固定する際に、位置ずれを吸収することができる。また、コンクリートを打ち込んだ際の圧力によって隣接するパネル材の間に隙間等ができてしまうのを阻止するのに、隣り合う一の棒状セパレータおよび他の棒状セパレータの間に保持部材を繋ぐように装着すればよい。これによりコンクリート壁の構築作業を効率的に行うことができる。
【００１５】
保持部材として、一方向に延在する延在部と、延在部の一端側に設けられ、一の棒状セパレータを係止する第１係止部と、延在部の他端側に設けられ、他の棒状セパレータを係止する第２係止部とを有する保持部材を用いることが好ましい。
【００１６】
これにより、保持部材を一の棒状セパレータおよび他の棒状セパレータの間に容易に取り付けることができる。
【００１７】
パネル材として、断熱部材を含むパネル材を用いることが好ましい。これにより、コンクリート壁として断熱部材を有するコンクリート壁を構築することができる。
【００１８】
本発明に係る支持構造体は、柱状の支持体と雄ねじ部材と被支持体とを有している。柱状の支持体は、幅と奥行きを有して一方向に延在し、雌ねじが形成されている。雄ねじ部材は、雌ねじに螺合する雄ねじを有する。被支持体は、雄ねじ部材が挿通され、雄ねじ部材の雄ねじを雌ねじに螺合することにより、支持体と雄ねじ部材との間に挟み込まれる態様で支持体に支持される。支持体は、被支持体が当接することになる第１側部と、第１側部と奥行き方向に距離を隔てて対向するフラットな面の第２側部と、溝と、一対の中空部と、中空部分のない中実部とを備えている。溝は、互いに対向する側壁面を有し、互いに対向する側壁面が、雄ねじ部材の雄ねじに基づく所定の間隔をもって一方向に延在するように第１側部に形成されている。一対の中空部は、溝を挟んで幅方向に距離を隔てて配置されている。中実部は、溝の底から第２側部のフラットな面にわたり形成されている。互いに対向する側壁面には、雌ねじとして、雄ねじ部材の雄ねじのピッチに基づく凹凸部が一方向に延在するリニア雌ねじが形成されている。
【００１９】
本発明に係る支持構造体によれば、リニア雌ねじが形成されている側から雄ねじ部材の雄ねじを螺合することによって被支持体を支持体に支持させることができる。また、雄ねじ部材の雄ねじが螺合する雌ねじとして、リニア雌ねじが形成されていることで、一方向の位置ずれを吸収することができる。これにより、被支持体の支持体への支持作業を効率的に行うことができる。
【００２０】
また、一方向に延在する支持体の少なくとも一端側は、溝の断面が露出するように開放されていることが好ましい。
【００２１】
これにより、支持体を、射出成型によって比較的容易に形成することができる。また、開放されていても、被支持体によってリニア雌ねじが形成された第１端部が押さえ付けられるため、リニア雌ねじが開いてしまうのを防止することができる。
【００２２】
さらに、支持体は、幅方向に距離を隔てて対向する第３側部および第４側部を有し、第３側部および第４側部における、互いに対向する部分のそれぞれには、一方向に延在するスリットが形成されていることが好ましい。
【００２３】
これにより、複数の支持体を配置させた際に、幅方向に対向する一方のスリットと他方のスリットとに、たとえば、スリットに対応した厚みを有する板状部材を装着することができる。
【００２４】
また、支持体として、一の支持体と他の支持体とを少なくとも含み、一端部と他端部とを有する連結部材を用いて、その一端部を、一の支持体の中空部に挿入するとともに、他端部を、他の支持体の中空部に挿入することによって、一の支持体と他の支持体とを連結することが好ましい。
【００２５】
これにより、一の支持体に他の支持体を容易に継ぎ足すことができる。
さらに、一対のパネル材と、一対のパネル材を間隔を隔てて配置する棒状セパレータとを有し、一対のパネル材の一方のパネル材が被支持体とされ、雄ねじ部材として、棒状セパレータの一端側に雄ねじが形成され、棒状セパレータの他端側に、一対のパネル材の他方のパネル材が取り付けられていることが好ましい。
【００２６】
これにより、棒状セパレータによって保持された一対のパネル材を支持体に支持させることができ、その一対のパネル材の間にコンクリートを打ち込んでコンクリート壁を構築することができる。
【００２７】
また、パネル材は断熱部材を含むことが好ましい。これにより、コンクリート壁として断熱部材を有するコンクリート壁を構築することができる。
【００２８】
本発明に係るコンクリート壁の構築方法は、幅と奥行きを有して一方向に延在し、雌ねじが形成された柱状の支持体を用い、雄ねじ部材の雄ねじを雌ねじに螺合することによって、複数のパネル材を支持体に支持させてコンクリート壁を構築するコンクリート壁の構築方法である。支持体として、被支持体が当接することになる第１側部と、第１側部と前記奥行き方向に距離を隔てて対向するフラットな面の第２側部と、互いに対向する側壁面を有し、互いに対向する側壁面が、雄ねじに基づく所定の間隔をもって一方向に延在するように第１側部に形成された溝と、溝を挟んで幅方向に距離を隔てて配置された一対の中空部と、溝の底から第２側部のフラットな面にわたり形成された中空部分のない中実部とを備え、互いに対向する側壁面には、雌ねじとして、雄ねじのピッチに基づく凹凸部が一方向に延在するリニア雌ねじが形成された、支持体を用いる。雄ねじ部材として、両端にそれぞれ雄ねじが形成された棒状セパレータを用いる。複数のパネル材として、棒状セパレータが挿通される開口部がそれぞれ形成された複数のパネル材を用いる。複数の支持体を、作業する側にリニア雌ねじを向けた状態で、互いに幅方向に所定の間隔をもって配置する。複数のパネル材のうち、一のパネル材を支持体の第１側部に当接し、棒状セパレータの一端側に形成された雄ねじを、パネル材の開口部に挿通し、支持体のリニア雌ねじに螺合することにより、パネル材を支持体に支持させる。複数のパネル材のうち、他のパネル材を、一のパネル材と間隔を隔てて対向するように棒状セパレータの他端側に配置し、他の雌ねじが形成された締結部材を用いて、締結部材の他の雌ねじに棒状セパレータの他端側に形成された雄ねじを螺合することにより、他のパネルを、一のパネル材と間隔を隔てて対向するように棒状セパレータの他端側に固定する。一のパネル材と他のパネル材との間にコンクリートを打ち込む。
【００２９】
本発明に係るコンクリート壁の構築方法によれば、リニア雌ねじが形成されている側から、棒状セパレータによって保持された一対のパネル材を支持体に支持させて、その一対のパネル材の間にコンクリートを打ち込むことで、効率的にコンクリート壁を構築することができる。
【図面の簡単な説明】
【００３０】
【図１】本発明の実施の形態１に係るコンクリート壁の構築部材のうち、パネル材を示す部分斜視図である。
【図２】同実施の形態に係るコンクリート壁の構築部材のうち、支持部材を示す部分斜視図である。
【図３】同実施の形態において、図２に示す支持部材の上面図である。
【図４】同実施の形態に係るコンクリート壁の構築部材のうち、棒状セパレータを示す斜視図である。
【図５】同実施の形態に係るコンクリート壁の構築部材のうち、締結部材を示す斜視図である。
【図６】同実施の形態に係るコンクリート壁の構築部材のうち、棒状セパレータを保持する保持部材を示す斜視図である。
【図７】同実施の形態において、コンクリート壁の構築部材を用いたコンクリート壁の構築方法の一工程を示す斜視図である。
【図８】同実施の形態において、図７に示す工程の後に行われる工程を示す斜視図である。
【図９】同実施の形態において、図８に示す工程の後に行われる工程を示す斜視図である。
【図１０】同実施の形態において、図９に示す工程の後に行われる、棒状セパレータと支持部材とによって、パネル材を支持部材に支持させる工程を説明するための部分拡大断面斜視図である。
【図１１】同実施の形態において、図１０に示す工程の後に行われる、棒状セパレータと支持部材とによって、パネル材を支持部材に支持させる工程を説明するための部分拡大断面斜視図である。
【図１２】同実施の形態において、図１１に示す工程の後に行われる、棒状セパレータと支持部材とによって、パネル材を支持部材に支持させた状態を示す部分拡大断面斜視図である。
【図１３】同実施の形態において、図１２に示す断面線ＸＩＩＩ−ＸＩＩＩにおける断面図である。
【図１４】同実施の形態において、図１２または図１３に示す工程の後に行われる工程を示す斜視図である。
【図１５】同実施の形態において、図１４に示す工程の後の行われる工程を示す斜視図である。
【図１６】同実施の形態において、図１５に示す工程の後の行われる工程を示す斜視図である。
【図１７】同実施の形態において、図１６に示す工程を支持部材の側から見た斜視図である。
【図１８】同実施の形態において、図１６または図１７に示す工程の後に行われる工程を示す斜視図である。
【図１９】同実施の形態において、図１８に示す断面線ＸＩＸ−ＸＩＸにおける断面図である。
【図２０】同実施の形態において、図１８または図１９に示す工程の後に行われる工程を示す斜視図である。
【図２１】同実施の形態において、図２０に示す工程の後に行われる工程を示す斜視図である。
【図２２】同実施の形態において、図２１に示す工程の後に行われる工程を示す斜視図である。
【図２３】同実施の形態において、図２２に示す工程の後に行われる工程を示す斜視図である。
【図２４】同実施の形態において、図２３に示す工程の後に行われる工程を示す斜視図である。
【図２５】同実施の形態において、図２４に示す工程の後に行われる工程を示す斜視図である。
【図２６】同実施の形態において、図２５に示す工程の後に行われる工程を示す斜視図である。
【図２７】本発明の実施の形態２に係る支持構造体のうち、支持体を示す部分斜視図である。
【図２８】同実施の形態において、支持体の上面図である。
【図２９】同実施の形態に係る支持構造体のうち、支持体に支持されるパネル材を示す部分斜視図である。
【図３０】同実施の形態に係る支持構造体のうち、雄ねじを示す斜視図である。
【図３１】同実施の形態において、支持体と雄ねじとによってパネル材を支持体に支持させる手順を説明するための部分斜視図である。
【図３２】同実施の形態において、支持体と雄ねじとによってパネル材を支持体に支持させた状態を示す断面図である。
【図３３】同実施の形態において、支持構造体の作用効果を説明するための第１の断面図である。
【図３４】同実施の形態において、支持構造体の作用効果を説明するための第２の断面図である。
【図３５】本発明の実施の形態３に係るコンクリート壁の構築方法に用いられる棒状セパレータを、長手方向の一方の側から見た斜視図である。
【図３６】同実施の形態において、コンクリート壁の構築方法に用いられる棒状セパレータを、長手方向の他方の側から見た斜視図である。
【図３７】同実施の形態において、コンクリート壁の構築方法に用いられる締結部材を示す斜視図である。
【図３８】同実施の形態において、コンクリート壁の構築方法の一工程を示す斜視図である。
【図３９】同実施の形態において、図３８に示す工程の後に行われる工程を示す斜視図である。
【図４０】同実施の形態において、図３９に示す工程の後に行われる工程を示す斜視図である。
【図４１】同実施の形態において、図４０に示す工程の後に行われる、棒状セパレータと支持体とによって、パネル材を支持体に支持させる工程を説明するための部分拡大断面斜視図である。
【図４２】同実施の形態において、図４１に示す工程の後に行われる、棒状セパレータと支持体とによって、パネル材を支持体に支持させる工程を説明するための部分拡大断面斜視図である。
【図４３】同実施の形態において、図４２に示す工程の後に行われる、棒状セパレータと支持体とによって、パネル材を支持体に支持させた状態を示す部分拡大断面斜視図である。
【図４４】同実施の形態において、図４３に示す工程における、棒状セパレータと支持体とによって、パネル材を支持体に支持させた状態を示す部分拡大断面図である。
【図４５】同実施の形態において、図４３または図４４に示す工程の後の行われる工程を示す斜視図である。
【図４６】同実施の形態において、図４５に示す工程の後に行われる工程を示す斜視図である。
【図４７】同実施の形態において、図４６に示す工程の後に行われる工程を示す斜視図である。
【図４８】同実施の形態において、図４７に示す工程の後に行われる工程を示す斜視図である。
【図４９】同実施の形態において、図４８に示す工程の後に行われる、棒状セパレータと締結部材とによって、パネル材を棒状セパレータに支持させる工程を説明するための部分拡大断面斜視図である。
【図５０】同実施の形態において、図４９に示す工程の後に行われる、棒状セパレータと締結部材とによって、パネル材を棒状セパレータに支持させる工程を説明するための部分拡大断面斜視図である。
【図５１】同実施の形態において、図５０に示す工程の後に行われる、棒状セパレータと締結部材によって、パネル材を棒状セパレータに支持させた状態を示す部分拡大断面斜視図である。
【図５２】同実施の形態において、図５１に示す工程の後に行われる工程を示す斜視図である。
【図５３】同実施の形態において、図５２に示す工程の後に行われる工程を示す斜視図である。
【図５４】同実施の形態において、支持体を継ぎ足す手法を説明するための部分斜視図である。
【図５５】同実施の形態において、図５３に示す工程の後に行われる工程を示す斜視図である。
【図５６】同実施の形態において、図５５に示す工程の後に行われる工程を示す斜視図である。
【図５７】同実施の形態において、コンクリート壁の構築方法の作用効果を説明するための部分上面図である。
【図５８】同実施の形態において、変形例に係るコンクリート壁の構築方法の一工程を示す斜視図である。
【図５９】同実施の形態において、図５８に示す工程の後に行われる工程を示す斜視図である。
【発明を実施するための形態】
【００３１】
実施の形態１
実施の形態１では、コンクリート壁を構築するコンクリート壁の構築部材と、それを用いたコンクリート壁の構築方法について説明する。コンクリート壁の構築部材には、パネル材、支持部材、棒状セパレータ、締結部材および保持部材が含まれる。
【００３２】
まず、パネル材について説明する。図１に示すように、パネル材４１では、板材４２の一方の面に断熱部材４４が貼り付けられている。板材４２の材質として、比較的強度が高く硬い材質のものが適用される。断熱部材４４には、所定の位置に断熱部材を貫通する開口部４５が形成されている。板材４２には、その開口部４５に連通する開口部４３（図１０参照）が形成されている。後述するように、開口部４３の直径は、開口部４５の直径よりも小さく設定されている。また、断熱部材４４には、複数のパネル材４１を互いに繋げるための、板状の中間部材４７（図１５参照）が挿入されるスリット４６が形成されている。
【００３３】
次に、パネル材４１を支持する支持部材について説明する。図２および図３に示すように、支持部材３１は、柱状に形成されており、側部３１ａと、その側部３１ａの幅方向に間隔を隔てて対向する側部３１ｂおよび３１ｃとを備えている。側部３１ａと対向する側は開放されている。支持部材３１は、一例として、たとえば、ガラス繊維強化プラスチック（ＦＲＰ：Fiber Reinforced Plastics）から形成されている。
【００３４】
コンクリート壁を構築する際には、支持部材３１の側部３１ａは、パネル材４１（図１）に対向することになる。その側部３１ａには、複数の開口部３２が、支持部材３１が延在する方向に互いに間隔を隔てて形成されている。開口部３２には、締結部材（図示せず）が挿通されることになる。
【００３５】
次に、パネル材４１を互いに対向させて配置する棒状セパレータについて説明する。図４に示すように、棒状セパレータ５１の両端には、それぞれ雄ねじ５２が形成され、アタッチメント５３が取り付けられている。雄ねじ５２は、アタッチメント５３の筒状部分内に位置している。
【００３６】
次に、パネル材４１を棒状セパレータ５１に固定する締結部材について説明する。図５に示すように、締結部材６１には、つば部６２、雌ねじ形成部６３および雄ねじ６４が形成されている。雌ねじ形成部６３の雌ねじに棒状セパレータ５１の雄ねじ５２が螺合することになる。雄ねじ６４には、ナット（図示せず）が螺合することになる。
【００３７】
次に、隣り合う棒状セパレータ５１を保持する保持部材について説明する。図６に示すように、保持部材５５には、一方向に延在する延在部５５ａを有し、その延在部５５ａの一方の端部と他方の端部とに、棒状セパレータ５１を係止する係止部５５ｂが形成されている。隣り合う棒状セパレータ５１に対して、一方の端部の係止部５５ｂによって一方の棒状セパレータ５１が係止され、他方の端部の係止部５５ｂによって他方の棒状セパレータ５１が係止されることで、隣り合う棒状セパレータ５１が延在部５５ａを介して繋がれて保持されることになる。保持部材５５は、一例として、たとえば、アルミニウムから形成されている。
【００３８】
次に、パネル材４１、支持部材３１および棒状セパレータ５１等を用いて、コンクリート壁を構築する方法について説明する。
【００３９】
図７に示すように、まず、柱状の支持部材３１を、所定の間隔を隔てて所定の位置に順次立てる。このとき、開口部３２が形成された側部３１ａ（図２参照）が作業面に向けられるように配置される。次に、図８に示すように、パネル材４１の板材４２が支持部材３１に対向する態様で、パネル材４１を支持部材３１に接近させる。
【００４０】
次に、図９および図１０に示すように、パネル材４１の開口部４３の位置を支持部材３１の開口部３２の位置に合わせる。次に、開口部４５に向けて棒状セパレータ５１を接近させて、図１１に示すように、棒状セパレータ５１のアタッチメント５３を開口部４５に挿通させる。次に、図１２に示すように、アタッチメント５３を板材４２に当接させた状態で、締結部材６１の雌ねじ形成部６３を支持部材３１の開口部３２に挿通させる。
【００４１】
次に、図１３に示すように、棒状セパレータ５１の雄ねじ５２を、締結部材６１の雌ねじ形成部６３の雌ねじに螺合する。板材４２に形成された開口部４３の開口径は、アタッチメント５３の直径よりも小さい（図１１参照）。これにより、棒状セパレータ５１のアタッチメント５３と締結部材６１のつば部６２との間に、パネル材４１の板材４２と支持部材３１の側部３１ａが挟み込まれて、支持部材３１にパネル材４１と棒状セパレータ５１が固定される。つまり、棒状セパレータ５１の一端部にパネル材４１と支持部材３１とが固定されることになる。
【００４２】
以下、同様の作業により、図１４に示すように、パネル材４１の他の開口部４５（図９参照）に対して棒状セパレータ５１を挿通し、雄ねじ５２を締結部材６１の雌ねじ形成部６３の雌ねじに螺合することによって、支持部材３１にパネル材４１と棒状セパレータ５１が固定される。
【００４３】
次に、支持部材３１に支持されたパネル材４１に、新たなパネル材４１を繋ぐ作業を行う。図１５に示すように、板状の中間部材４７を用意し、その中間部材４７の幅方向の一端側を、支持体１１に支持されたパネル材４１のスリット４６に嵌め込み、新たなパネル材４１を近づけて、他端側を、その新たなパネル材４１のスリット４６に嵌め込む。
【００４４】
次に、最初のパネル材の場合と同様の作業により、新たなパネル材４１の開口部４５（図１５参照）のそれぞれに棒状セパレータ５１を挿通し、雄ねじを締結部材６１の雌ねじ形成部６３の雌ねじに螺合する。これにより、図１６に示すように、新たなパネル材４１と棒状セパレータ５１が支持部材３１に固定される。以下、同様の作業を行うことによって、所定数のパネル材４１のそれぞれが、支持部材３１に固定されることになる。
【００４５】
次に、立てて配置された支持部材３１に対して、横方向に交差するように支持部材３１を配置して固定する作業を行う。
【００４６】
図１７に示すように、支持部材３１が配置されている側では、締結部材６１の雄ねじ６４が突出している。まず、図１８に示すように、立てて配置された支持部材３１に対して、横方向に交差するように支持部材３１を配置し、支持部材３１の開口部３２に突出した雄ねじ６４を挿通させる。次に、ナット６５を雄ねじ６４に螺合する。これにより、図１９に示すように、立てて配置された支持部材３１とナット６５との間に、横方向に配置された支持部材３１の側部３１ａが挟み込まれることで、横方向に配置された支持部材３１が立てて配置された支持部材３１に固定される。
【００４７】
次に、隣り合う棒状セパレータ５１に対して、保持部材５５を取り付ける作業を行う。図２０に示すように、隣り合う棒状セパレータ５１のうち、隣接するパネル材４１の継ぎ目を挟んで位置する一の棒状セパレータ５１と他の棒状セパレータ５１の間に保持部材５５を装着する。保持部材５５の一方の端部の係止部５５ｂによって一の棒状セパレータ５１が係止され、他方の端部の係止部５５ｂによって他の棒状セパレータ５１が係止されることで、隣り合う棒状セパレータ５１が延在部５５ａを介して繋がれて保持されることになる。その後、コンクリート壁に埋め込まれることになる所定の鉄筋を敷設する。なお、図２０等では、図面の煩雑さを避けるために、鉄筋は図示していない。
【００４８】
次に、支持部材３１に固定されたパネル材４１に対向するように、棒状セパレータ５１の他端部にパネル材４１を固定する作業を行う。図２１に示すように、パネル材４１を棒状セパレータ５１の他端部へ近づける。次に、パネル材４１の断熱部材４４に形成された開口部４５（図１参照）のそれぞれに、棒状セパレータ５１の他端部に設けられたアタッチメント５３をそれぞれ挿通する。
【００４９】
次に、図２２に示すように、支持部材３１をパネル材４１に当接し、締結部材６１を開口部３２に挿通させる。次に、締結部材６１の雌ねじ形成部に形成された雌ねじを、棒状セパレータ５１の雄ねじに螺合することによって、図１３に示すのと同様に、棒状セパレータ５１のアタッチメント５３と締結部材６１のつば部６２との間に、パネル材４１の板材４２と支持部材３１の側部３１ａが挟み込まれて、支持部材３１にパネル材４１と棒状セパレータ５１が固定される。つまり、棒状セパレータ５１の他端部にパネル材４１と支持部材３１とが固定されることになる。
【００５０】
次に、そのパネル材４１に、新たなパネル材４１を配置し、同様の作業を行うことによって、棒状セパレータ５１の他端部にその新たなパネル材４１と支持部材３１とを固定する。以下、同様の作業を行うことによって、図２３に示すように、所定数のパネル材４１と支持部材３１とが、棒状セパレータ５１の他端部に固定されることになる。
【００５１】
次に、図２４に示すように、立てて配置された支持部材３１に対して、横方向に交差するように支持部材３１を配置し、支持部材３１の開口部３２に突出した雄ねじ６４を挿通させて、ナット６５を雄ねじ６４に螺合する。これにより、図１９に示すのと同様に、立てて配置された支持部材３１とナット６５との間に、横方向に配置された支持部材３１の側部３１ａが挟み込まれることで、横方向に配置された支持部材３１が立てて配置された支持部材３１に固定される。
【００５２】
次に、図２５に示すように、対向するように配置されたパネル材４１の間にコンクリート７１を打ち込む。コンクリート７１が乾燥した後、支持部材３１および締結部材６１を取り外す。こうして、図２６に示すように、パネル材４１を備えたコンクリート壁２が構築される。
【００５３】
上述したコンクリート壁の構築方法では、パネル材４１を支持する支持部材３１では、パネル材４１と対向することになる側部３１ａに、支持部材３１が延びる方向に複数の開口部３２が形成されている。これにより、締結部材６１を支持部材３１の開口部３２に挿通して、支持部材３１とともにパネル材４１を棒状セパレータ５１に固定する際に、支持部材３１と棒状セパレータとの相対的な位置ずれがあったとしても、締結部材６１を容易に開口部３２に挿通させることができ、コンクリート壁を構築する作業を効率的に行うことができる。
【００５４】
また、隣接するパネル材４１の継ぎ目を挟んで位置する一の棒状セパレータ５１と他の棒状セパレータ５１の間に保持部材５５が装着される。これにより、コンクリートを打ち込んだ際の圧力によって、隣接する一のパネル材４１と他のパネル材４１との間に隙間が生じたりするのを確実に防止することができる。
【００５５】
なお、上述したコンクリート壁の構築方法に用いられる構築部材のうち、支持部材３１については、ガラス繊維強化プラスチックから形成された支持部材３１を例に挙げて説明した。支持部材としては、ガラス繊維強化プラスチックから形成された支持部材３１の他に、たとえば、鉄やアルミニウム等の金属から形成された支持部材を用いてもよい。
【００５６】
また、パネル材として、パネル材を例に挙げて説明したが、パネル材としては、断熱部材を有するものに限られるものではなく、断熱部材を有していない板材のようなパネル材であってもよい。
【００５７】
実施の形態２
実施の形態２では、支持構造体として、支持体と雄ねじとによってパネル材を支持体に支持させる構造について説明する。はじめに、支持体、パネル材および雄ねじのそれぞれについて説明する。図２７および図２８に支持体を示し、図２９にパネル材を示し、図３０に雄ねじを示す。
【００５８】
図２７および図２８に示すように、支持体１１は、奥行きＤと幅Ｗを有して柱状に成型された、たとえば、アルミニウム等の金属から形成されている。支持体１１における、奥行きＤ方向に間隔を隔てて対向する一対の側部１１ａ、１１ｂのうち、後述するパネル材が当接することになる一方の側部１１ａ（第１側部）には、支持体１１が延在する方向に沿ってリニア雌ねじ１２が形成されている。
【００５９】
リニア雌ねじ１２は、後述する雄ねじの直径に対応する間隔をもって延在する溝の互いに対向する側壁面に、雄ねじのピッチに対応する凹凸部を設ける態様で形成されている。この場合、一方の側壁面に設けられる凹凸部の位置と、他方の側壁面に設けられる凹凸部の位置とは、雄ねじが螺合する雌ねじとして機能するように、雄ねじのピッチに基づいて互いにずらされている。
【００６０】
一方の側部１１ａと対向する他方の側部１１ｂ（第２側部）には、フラットな面が形成されている。リニア雌ねじ１２が形成された溝の底から、他方の側部１１ｂのフラットな面にわたり、中実で比較的肉厚の厚い肉厚部１４（中実部）が形成されている。また、リニア雌ねじ１２が形成された溝を挟んで、幅Ｗ方向に距離を隔てて一対の中空部１３が形成されている。
【００６１】
支持体１１における、幅Ｗ方向に間隔を隔てて対向する一対の側部１１ｃ、１１ｄ（第３側部および第４側部）のそれぞれでは、支持体１１が延在する方向に沿ってスリット１５が形成されている。スリット１５は、互いに対向する位置（奥行きＤ方向）に形成されている。
【００６２】
図２９に示すように、支持体１１によって支持されることになるパネル材２１には、雄ねじが挿通される開口部２２が形成されている。このパネル材２１としては、支持体１１と雄ねじとによって挟み込まれた状態で、変形しにくい比較的硬質な材質のものが適用される。図３０に示すように、雄ねじ２５では、リニア雌ねじ１２が形成された溝の深さとパネル材２１の厚さに基づいて、支持体１１と雄ねじ２５の頭部２６との間にパネル材２１が挟み込まれる長さに設定されている。
【００６３】
次に、支持体１１と雄ねじ２５とによって、パネル材２１を支持体１１に支持させる方法（手順）について説明する。図３１に示すように、まず、リニア雌ねじ１２が形成された支持体１１の端部と、パネル材２１とを対向させる。次に、パネル材２１の開口部２２の位置をリニア雌ねじ１２の位置に合わせる。次に、開口部２２に雄ねじ２５を挿通し、リニア雌ねじ１２に雄ねじ２５を螺合することによって、雄ねじ２５の頭部２６と支持体１１との間にパネル材を挟み込む。こうして、図３２に示すように、支持体１１と雄ねじ２５とによってパネル材２１を支持体１１に支持させた支持構造体１が完成する。
【００６４】
この支持体１１の長手方向の一方の端部と他方の端部では、リニア雌ねじ１２が形成された溝によって開放されている。このため、図３３に示すように、雄ねじ１２５をリニア雌ねじ１１２に螺合することによって、支持体１１１には、溝の開口端側を広げるように力が作用することになる。また、支持体として、リニア雌ねじ（溝）の底に肉厚部が形成されておらず、中空部に連通しているような支持体（図示せず）では、溝の開口端がより開きやすくなる。
【００６５】
上述した支持構造体１では、図３４に示すように、支持体１１と雄ねじ２５とによってパネル材２１が挟み込まれるため、溝の開口端側はパネル材２１によって押さえ付けられることになる。また、リニア雌ねじ１２の底には肉厚部１４が設けられ、この肉厚部１４は、リニア雌ねじの底から他方の側部１１ｂ（図２７参照）まで位置する。これにより、雄ねじ２５をリニア雌ねじ１２に螺合することによって、溝の開口端側が広げられることなく、パネル材２１を支持体１１に容易に支持させることができる。
【００６６】
また、雄ねじ２５が螺合する雌ねじとして、リニア雌ねじ１２が形成されていることで、雌ねじに対する雄ねじ２５の位置ずれが許容される範囲を拡大させることができ、支持構造体の組み立て作業の作業効率を上げることができる。
【００６７】
さらに、パネル材が当接する一方の側部１１ａと対向する、支持体の他方の側部１１ｂは、フラットな面とされる。これにより、支持体１１の奥行きＤを必要最小限に抑えることができ、支持体１１を薄くすることができる。
【００６８】
なお、上述した支持構造体では、支持体１１に支持される部材としてパネル材２１を例に挙げて説明したが、パネル材以外の部材であっても、被支持部材として、その被支持部材に応じて、支持体１１における長手方向の任意の位置に支持させることができる。
【００６９】
実施の形態３
実施の形態３では、前述した支持体（支持構造体）を適用したコンクリート壁の構築方法について説明する。コンクリート壁は、互いに対向する型枠と型枠との間にコンクリートを打ち込むことによって構築される。ここでは、型枠として断熱部材を備えたパネル材を用い、そのパネル材を、雄ねじが形成された棒状セパレータによって支持体に支持させる手法を用いてコンクリート壁を構築する方法について説明する。図３５および図３６に棒状セパレータを示し、図３７に締結部材を示す。なお、パネル材については、実施の形態１において説明した図１に示すパネル材と同様なので、必要である場合を除きその説明を繰り返さないこととする。
【００７０】
図３５および図３６に示すように、棒状セパレータ５１の両端には、それぞれ雄ねじ５２が形成され、アタッチメント５３が取り付けられている。棒状セパレータ５１の一端側の雄ねじ５２は、アタッチメント５３の筒状部分から突出している。突出した雄ねじ５２がリニア雌ねじに螺合することになる。棒状セパレータ５１の他端側の雄ねじ５２は、アタッチメント５３の筒状部分内に位置している。
【００７１】
棒状セパレータ５１の他端側にパネル材４１を固定するための部材として、図３７に示すように、締結部材６１が用いられる。締結部材６１では、つば部６２と雌ねじ形成部６３が形成されている。雌ねじ形成部６３の雌ねじに棒状セパレータ５１の他端側の雄ねじ５２が螺合することになる。
【００７２】
次に、支持体、パネル材および棒状セパレータ等を用いて、コンクリート壁を構築する方法について説明する。
【００７３】
図３８に示すように、まず、柱状の支持体１１を、所定の間隔を隔てて所定の位置に順次立てる。このとき、リニア雌ねじ１２が形成されている側部１１ａが作業面に向けられるように配置される。次に、図３９に示すように、パネル材４１の板材４２が支持体１１に対向する態様で、パネル材４１を支持体１１に接近させる。このとき、幅Ｗ方向（図２７参照）に対向する支持体１１の一方の支持体１１のスリット１５（図２７参照）と他方の支持体１１のスリット１５とに、スリット１５に対応した厚みを有する板材（図示せず）を装着するようにしてもよい。
【００７４】
次に、図４０および図４１に示すように、次に、パネル材４１の開口部４３の位置をリニア雌ねじ１２の位置に合わせる。次に、雄ねじ５２が突出している側を開口部４５に向けて棒状セパレータ５１を接近させて、図４２に示すように、棒状セパレータ５１のアタッチメント５３を開口部４５に挿通させる。次に、雄ねじ５２を開口部４３に挿通させた後、棒状セパレータ５１を所定の向き（右回り）に回転させることによて、図４３に示すように、雄ねじ５２がリニア雌ねじ１２に螺合する。
【００７５】
板材４２に形成された、雄ねじ５２が挿通される開口部４３の開口径は、アタッチメント５３の直径よりも小さい（図４２参照）。これにより、図４４に示すように、アタッチメント５３の外側端部と支持体１１とによってパネル材４１の板材４２が挟み込まれて、パネル材４１が支持体１１に支持されることになる。
【００７６】
以下、同様の作業により、パネル材４１の他の開口部４５（図４０参照）に対して棒状セパレータ５１を挿通して、雄ねじをリニア雌ねじに螺合する。これにより、図４５に示すように、パネル材４１が、アタッチメント５３と支持体１１とによって板材４２が挟み込まる態様（図４４参照）で、支持体１１に支持される。
【００７７】
次に、支持体１１に支持されたパネル材４１に、新たなパネル材４１を繋ぐ作業を行う。図４６に示すように、板状の中間部材４７を用意し、その中間部材４７の幅方向の一端側を、支持体１１に支持されたパネル材４１のスリット４６に嵌め込み、新たなパネル材４１を近づけて、他端側を、その新たなパネル材４１のスリット４６に嵌め込む。
【００７８】
次に、最初のパネル材の場合と同様の作業により、新たなパネル材４１の開口部４５（図４６参照）のそれぞれに棒状セパレータ５１を挿通し、雄ねじをリニア雌ねじに螺合する。これにより、図４７に示すように、新たなパネル材４１が、アタッチメント５３と支持体１１とによって板材４２が挟み込まる態様（図４４参照）で、支持体１１に支持される。以下、同様の作業を行うことによって、所定数のパネル材４１のそれぞれが、支持体１１に支持されることになる。
【００７９】
次に、支持体に支持されたパネル材に対向するように、棒状セパレータの他端側にパネル材を固定する作業を行う。図４８に示すように、パネル材４１を棒状セパレータ５１の他端側へ近づける。次に、図４９に示す、断熱部材４４に形成された開口部４５のそれぞれに、図５０に示すように、棒状セパレータ５１の他端側に設けられたアタッチメント５３をそれぞれ挿通する。次に、雌ねじ形成部６３が形成された締結部材６１を、パネル材４１に近づける。
【００８０】
次に、図５１に示すように、棒状セパレータ５１の他端側の雄ねじ５２に雌ねじ形成部６３の雌ねじを螺合することによって、アタッチメント５３の端部と締結部材６１のつば部６２との間にパネル材４１の板材４２を挟み込む。次に、同様の作業により、残りの棒状セパレータ５１の他端側の雄ねじ５２に雌ねじ形成部６３の雌ねじを順次螺合することによって、図５２に示すように、パネル材４１が、棒状セパレータ５１の他端側に固定される。以下、同様の作業によって、図５３に示すように、所定数のパネル材４１が、棒状セパレータ５１の他端側に固定される。こうして、間隔を隔てて一対のパネル材４１が固定される。
【００８１】
なお、構築するコンクリート壁の高さに合わせて、必要に応じて、柱状の支持体１１を継ぎ足してもよい。この場合、図５４に示すように、支持体１１の中空部１３の断面形状に対応した連結部材１６を用い、この連結部材１６を中空部１３に挿入することによって、一の支持体１１に他の支持体１１を継ぎ足すことができる。
【００８２】
次に、図５５に示すように、一対のパネル材４１の間にコンクリート７１を打ち込む。コンクリート７１が乾燥した後、締結部材６１を取り外す。こうして、図５６に示すように、パネル材４１を備えたコンクリート壁２が構築される。
【００８３】
上述したコンクリート壁の構築方法では、パネル材４１を支持するのに、リニア雌ねじ１２を備えた支持体１１（図２７参照）を用いて、リニア雌ねじ１２が形成されている側から棒状セパレータ５１の雄ねじ５２を螺合することによって、パネル材４１を支持体１１に支持させることができる。これにより、コンクリート壁を構築する作業を効率的に行うことができる。
【００８４】
また、棒状セパレータ５１の雄ねじ５２が螺合する雌ねじとして、支持体１１にはリニア雌ねじ１２が形成されている。これにより、雌ねじに対する雄ねじの位置ずれが許容される範囲を拡大させることができ、コンクリート壁を構築する作業を効率的に行うことができる。
【００８５】
さらに、パネル材４１が当接する一方の側部１１ａと対向する、支持体１１の他方の側部１１ｂは、フラットな面とされる。これにより、支持体１１の奥行きＤを必要最小限に抑えることができ、支持体１１を薄くすることができる。これにより、図５７に示すように、パネル材４１と隣地８１との間に作業者９１が入り込むスペースがなくても、支持体１１の奥行きＤ（図２７参照）程度の隙間を確保できれば作業を行うことができる。その結果、特に、都市部の過密した地域において、限られた敷地を有効的に利用することができる。
【００８６】
なお、上述したコンクリート壁の構築方法では、断熱部材を備えたパネル材４１を用いた場合を例に挙げて説明した。コンクリート壁の構築方法としては、支持体１１に支持させることができるパネル材であれば、断熱部材を備えていない板材をパネル材または型枠として用いることができ、このようなパネル材等を用いてコンクリート壁を構築することができる。
【００８７】
また、支持体１１に支持させる部材として、コンクリート壁を構築するパネル材４１を例に挙げて説明した。支持体１１に支持させる部材としては、パネル材に限られるものではなく、リニア雌ねじ側の面に当接した状態で雄ねじ部材と支持体との間に挟み込むことができる部材であれば、支持体に支持させることができる。
【００８８】
さらに、上述した支持体１１と、前述した支持部材３１（図２参照）等とを用いてコンクリート壁を構築してもよい。この場合には、図５８に示すように、コンクリート壁の外側に位置することになるパネル材４１を支持体１１に支持させ、内側に位置することになるパネル材４１を支持部材３１に支持させればよい。その後、対向するパネル材４１の間にコンクリートを打ち込み、乾燥した後、支持部材３１等を取り外すことで、図５９に示すように、コンクリート壁２が完成する。
【００８９】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００９０】
本発明は、建築工事や土木工事に有効に利用される。
【符号の説明】
【００９１】
１  支持構造体、２  コンクリート壁、１１  支持体、１２  リニア雌ねじ、１３  中空部、１４  肉厚部、１５  スリット、１６  連結部材、２１  パネル材、２２  開口部、２５  雄ねじ、２６  頭部、３１  支持部材、３１ａ、３１ｂ、３１ｃ  側部、３２  開口部、４１  パネル材、４２  板材、４３  開口部、４４  断熱部材、４５  開口部、４６  スリット、４７  中間部材、５１  棒状セパレータ、５２  雄ねじ、５３  アタッチメント、５５  保持部材、５５ａ  延在部、５５ｂ  係止部、６１  締結部材、６２  つば部、６３  雌ねじ形成部、７１  コンクリート、８１  隣地、９１  作業者。
【図１】
2015158041.tif 000003
【図２】
2015158041.tif 000004
【図３】
2015158041.tif 000005
【図４】
2015158041.tif 000006
【図５】
2015158041.tif 000007
【図６】
2015158041.tif 000008
【図７】
2015158041.tif 000009
【図８】
2015158041.tif 000010
【図９】
2015158041.tif 000011
【図１０】
2015158041.tif 000012
【図１１】
2015158041.tif 000013
【図１２】
2015158041.tif 000014
【図１３】
2015158041.tif 000015
【図１４】
2015158041.tif 000016
【図１５】
2015158041.tif 000017
【図１６】
2015158041.tif 000018
【図１７】
2015158041.tif 000019
【図１８】
2015158041.tif 000020
【図１９】
2015158041.tif 000021
【図２０】
2015158041.tif 000022
【図２１】
2015158041.tif 000023
【図２２】
2015158041.tif 000024
【図２３】
2015158041.tif 000025
【図２４】
2015158041.tif 000026
【図２５】
2015158041.tif 000027
【図２６】
2015158041.tif 000028
【図２７】
2015158041.tif 000029
【図２８】
2015158041.tif 000030
【図２９】
2015158041.tif 000031
【図３０】
2015158041.tif 000032
【図３１】
2015158041.tif 000033
【図３２】
2015158041.tif 000034
【図３３】
2015158041.tif 000035
【図３４】
2015158041.tif 000036
【図３５】
2015158041.tif 000037
【図３６】
2015158041.tif 000038
【図３７】
2015158041.tif 000039
【図３８】
2015158041.tif 000040
【図３９】
2015158041.tif 000041
【図４０】
2015158041.tif 000042
【図４１】
2015158041.tif 000043
【図４２】
2015158041.tif 000044
【図４３】
2015158041.tif 000045
【図４４】
2015158041.tif 000046
【図４５】
2015158041.tif 000047
【図４６】
2015158041.tif 000048
【図４７】
2015158041.tif 000049
【図４８】
2015158041.tif 000050
【図４９】
2015158041.tif 000051
【図５０】
2015158041.tif 000052
【図５１】
2015158041.tif 000053
【図５２】
2015158041.tif 000054
【図５３】
2015158041.tif 000055
【図５４】
2015158041.tif 000056
【図５５】
2015158041.tif 000057
【図５６】
2015158041.tif 000058
【図５７】
2015158041.tif 000059
【図５８】
2015158041.tif 000060
【図５９】
2015158041.tif 000061